(57)【要約】この発明は、ハーネス本数の削減、ＦＶ変換回路の削除等により、コストの削減、回路の単純化等を図ることを目的とし、Ａ／Ｃアンプ２、ブロワモータ４、複数のコンポーネント５を有して構成される車両用空調装置の制御システム１において、ブロワモータ４の制御基板１５上に、バッテリ３からの電流が入力される入力手段と、入力手段に入力された電流を所定の電圧値に調整する調整手段と、調整手段により調整された電流を出力する出力手段と、入出力される電流に対して電気的な保護作用を施す保護回路とを有して構成される電力ゲートウェイ１８を設け、出力手段から出力された電流を各コンポーネント５に供給するものである。
2003070498.tif 000002
【特許請求の範囲】
【請求項１】
空調装置を制御する制御信号を出力するＡ／Ｃアンプ、車載のバッテリの電力により駆動され前記制御信号により制御されるブロワモータ、前記バッテリの電力により駆動され前記制御信号により制御される複数のコンポーネントを有して構成される車両用空調装置の制御システムにおいて、
前記ブロワモータの制御基板上に、前記バッテリからの電流が入力される入力手段と、前記入力手段に入力された電流を所定の電圧値に調整する調整手段と、前記調整手段により調整された電流を出力する出力手段と、入出力される電流に対して電気的な保護作用を施す保護回路とを有して構成される電力ゲートウェイが設けられ、
前記出力手段から出力された電流を前記各コンポーネントに供給することを特徴とする車両用空調装置の制御システム。
【請求項２】
前記Ａ／Ｃアンプ、前記ブロワモータ、及び前記各コンポーネントは、少なくとも前記制御信号、前記ブロワモータからのフィードバック信号、及び前記各コンポーネントからのフィードバック信号の通信が可能な通信手段を備え、該通信手段は、シリアル通信を行うものであることを特徴とする請求項１記載の車両用空調装置の制御システム。
【請求項３】
前記通信手段は、ＬＩＮ−ｂｕｓ規格に基づいた通信を行うものであることを特徴とする請求項２記載の車両用空調装置の制御システム。
【請求項４】
前記各コンポーネントは、電流が印加されることにより駆動する電磁駆動部と、前記電力ゲートウェイから供給された電流を調整することにより前記電磁駆動部への電流供給量を変化させる駆動回路と、前記通信手段により受信した制御信号に基づいて前記電流供給量を決定する信号を前記駆動回路に出力する制御回路とを備えることを特徴とする請求項２又は３に記載の車両用空調装置の制御システム。
【請求項５】
前記ブロワモータは、電流が印加されることにより駆動する電磁駆動部と、前記バッテリから供給された電流を調整することにより前記電磁駆動部への電流供給量を変化させる駆動回路と、前記通信手段により受信した制御信号に基づいて前記電流供給量を決定する信号を前記駆動回路に出力する制御回路とを備えることを特徴とする請求項２〜４のいずれか１つに記載の車両用空調装置の制御システム。
【請求項６】
前記ブロワモータの制御回路には、前記電力ゲートウェイの出力手段から出力された電流が供給されることを特徴とする請求項５記載の車両用空調装置の制御システム。
【請求項７】
前記Ａ／Ｃアンプには、前記電力ゲートウェイの出力手段から出力された電流が供給されることを特徴とする請求項１〜６のいずれか１つに記載の車両用空調装置の制御システム。
【請求項８】
前記Ａ／Ｃアンプが出力する起動命令信号により前記電力ゲートウェイを起動させる起動手段を備えることを特徴とする請求項７に記載の車両用空調装置の制御システム。
【請求項９】
前記電力ゲートウェイの出力手段の前記コンポーネントへの出力ポートが１つであることを特徴とする請求項１〜８のいずれか１つに記載の車両用空調装置の制御システム。
【請求項１０】
前記出力ポートと接続する電源用ハーネスが接続される前記コンポーネントの電源接続部では、２本の前記電源用ハーネスが共かしめされていることを特徴とする請求項９記載の車両用空調装置の制御システム。
【請求項１１】
前記Ａ／Ｃアンプの通信手段と接続する通信用ハーネスが接続される前記コンポーネントの通信接続部では、２本の前記通信用ハーネスが共かしめされていることを特徴とする請求項２又は３記載の車両用空調装置の制御システム。
【請求項１２】
前記ブロワモータは、ブラシレスモータであることを特徴とする請求項１〜１１のいずれか１つに記載の車両用空調装置の制御システム。
【発明の詳細な説明】
技術分野
この発明は、ブロワモータや、インテークドア、エアミックスドア、モードドアのアクチュエータ等の複数のコンポーネントを備える車両用空調装置の制御システムに関し、特にこれらブロワモータ及び各コンポーネントへの電力供給及び各種制御用信号の通信に関するものである。
背景技術
従来のＨＶＡＣシステム１００においては、第６図に示すように、バッテリ１０１が出力する電流は一度Ａ／Ｃアンプ１０２内に入力され調整を施された後に、各コンポーネント、即ちインテークドア、エアミックスドア、モードドア等のアクチュエータ１０４，１０５，１０６に供給されていた。このＡ／Ｃアンプ１０２には、各アクチュエータ１０４，１０５，１０６の駆動状態を決定する信号を出力する制御回路１０７、この制御回路１０７から出力される信号に基づいて各アクチュエータ１０４，１０５，１０６への電流供給量を変化させる駆動回路１０８，１０９，１１０、入出力される電流の電圧値・電流値が適正範囲内にあるかのチェック、ノイズの除去等の電気的保護を行う保護回路１１１，１１２，１１３が設けられ、前記駆動回路１０８，１０９，１１０及び保護回路１１１，１１２，１１３は、それぞれのアクチュエータ１０４，１０５，１０６に対応して別個に設けられている。また、前記制御回路１０７は、各駆動回路１０８，１０９，１１０に信号を出力すると共に、各アクチュエータ１０４，１０５，１０６からのフィードバック信号Ｆが入力される。
また、ブロワモータ１０３へはバッテリ１０１から直接電流が供給されると共に、前記制御回路１０７が出力する制御信号、即ち回転指示信号Ｒに基づいて電磁駆動部１１４への電流供給量が調整される。前記回転指示信号Ｒは、第７図に示すように、ブロワモータ１０３の制御回路１１５内において、ＦＶ変換回路１１７によりパルス信号から直流信号に変換された後、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）１１８に送られ、駆動回路１１６に出力する２次信号Ｒ’が作成される。そして、駆動回路１１６が前記２次信号Ｒ’に基づいて電磁駆動部１１４への電流供給量を変化させることにより、ブロワモータの回転速度を調整する。
しかしながら、上記従来の構成においては、電流を伝導する電源用ハーネス（図中黒塗り矢印）が、バッテリ１０１から各保護回路１１１，１１２，１１３へ、各保護回路１１１，１１２，１１３から各駆動回路１０８，１０９，１１０へ、そして各駆動回路１０８，１０９，１１０から各アクチュエータ１０４，１０５，１０６への間で必要となり、また制御信号を伝達する通信用ハーネス（図中白抜き矢印）が、制御回路１０７から各駆動回路１０８，１０９，１１０へ、そして各アクチュエータ１０４，１０５，１０６から制御回路１０７への間で必要となる。このため、必要なハーネスの本数が多くなり、コストや組付性の面で問題があった。
また、上述したように、ブロワモータ１０３の回転速度の制御において、第７図に示すように、Ａ／Ｃアンプ１０２からの回転指示信号Ｒを２次信号Ｒ’に変換するＦＶ変換回路１１７が必要であることから、回路の複雑化等の問題があった。
発明の開示
そこで、この発明は、ハーネス本数の削減、ＦＶ変換回路の削除等により、コストの削減、回路の単純化等を図ることを目的とする。
上記課題を解決するために、この発明は、空調装置を制御する制御信号を出力するＡ／Ｃアンプ、車載のバッテリの電力により駆動され前記制御信号により制御されるブロワモータ、前記バッテリの電力により駆動され前記制御信号により制御される複数のコンポーネントを有して構成される車両用空調装置において、前記ブロワモータの制御基板上に、前記バッテリからの電流が入力される入力手段と、前記入力手段に入力された電流を所定の電圧値に調整する調整手段と、前記調整手段により調整された電流を出力する出力手段と、入出力される電流に対して電気的な保護作用を施す保護回路とを有して構成される電力ゲートウェイが設けられ、前記出力手段から出力された電流を前記各コンポーネントに供給するものである。
これによれば、従来コンポーネント毎に対応してＡ／Ｃアンプ内に設けられていた保護回路等を含む電源用回路をブロワモータの制御基板上に電力ゲートウェイとして統一することができる。これにより、電力ゲートウェイから一定の電圧（例えば１２Ｖ）の電流を出力し、これを各コンポーネントへ供給することができる。これにより、従来バッテリから複数の保護回路へ引かれていたハーネスを削減することができるので、ハーネスの本数及び長さの削減、保護回路の共通化等を実現することができ、コストの削減、回路の単純化等を図ることができる。また、電力ゲートウェイをブロワモータの制御基板上に設けることにより、ブロワユニット内に発生する送風を利用して電力ゲートウェイの発熱を抑えやすい構造とすることができるため、製品としての信頼性を向上させることができる。
また、前記Ａ／Ｃアンプ、前記ブロワモータ、及び前記各コンポーネントは、少なくとも前記制御信号、前記ブロワモータからのフィードバック信号、及び前記各コンポーネントからのフィードバック信号の通信が可能な通信手段を備え、該通信手段は、シリアル通信を行うものであると良く、また前記通信手段は、ＬＩＮ−ｂｕｓ規格に基づいた通信を行うものであると良い。
これによれば、Ａ／Ｃアンプから出力される制御信号、ブロワモータ及び各コンポーネントから出力されるフィードバック信号等の制御用信号の通信を、対応する機器間で１本のハーネスで行うことができるので、ハーネス本数を削減することができる。
また、前記各コンポーネントは、電流が印加されることにより駆動する電磁駆動部と、前記電力ゲートウェイから供給された電流を調整することにより前記電磁駆動部への電流供給量を変化させる駆動回路と、前記通信手段により受信した制御信号に基づいて前記電流供給量を決定する信号を前記駆動回路に出力する制御回路とを備えていると良い。
本発明の構成においては、電源用回路として統一化された電力ゲートウェイが存在し、また制御用信号の送受がシリアル通信により行われることから、各コンポーネント内に各自に応じた制御回路及び駆動回路を持つことが設計及び機能上好適であり、またこれによってハーネス本数の増加を招くことはない。
また、前記ブロワモータは、電流が印加されることにより駆動する電磁駆動部と、前記バッテリから供給された電流を調整することにより前記電磁駆動部への電流供給量を変化させる駆動回路と、前記通信手段により受信した制御信号に基づいて前記電流供給量を決定する信号を前記駆動回路に出力する制御回路とを備えていると良く、また、前記ブロワモータの制御回路には、前記電力ゲートウェイの出力手段から出力された電流が供給されると良い。更に、前記Ａ／Ｃアンプには、前記電力ゲートウェイの出力手段から出力された電流が供給されると良い。
ブロワモータにおいては、その内部に独自の制御回路及び駆動回路を持ち、また供給される電流については、駆動回路へは従来通りバッテリから直接導くと共に、制御回路へは電力ゲートウェイから導くことが設計及び機能上好適である。また、Ａ／Ｃアンプにおいては、その電源電流を電力ゲートウェイから導くことが設計及び機能上好適である。
また、前記Ａ／Ｃアンプが出力する起動命令信号により前記電力ゲートウェイを起動させる起動手段を備えていると良い。
これによれば、通常の起動経路とは別に、空調装置の作動状況等に応じて電力ゲートウェイを起動させることができるので、便宜性を向上させることができる。
また、前記電力ゲートウェイの出力手段の前記コンポーネントへの出力ポートが１つであると良く、また前記出力ポートと接続する電源用ハーネスが接続される前記コンポーネントの電源接続部では、２本の前記電源用ハーネスが共かしめされていると良い。
これによれば、電源用ハーネスの本数及び長さをより削減することができる。
また、前記Ａ／Ｃアンプの通信手段と接続する通信用ハーネスが接続される前記コンポーネントの通信接続部では、２本の前記通信用ハーネスが共かしめされていると良い。
これによれば、通信用ハーネスの本数及び長さをより削減することができる。
また、上述した本発明は、前記ブロワモータとしてブラシレスモータを用いた場合に、特に適したものである。
発明を実施するための最良の形態
以下、添付した図面によりこの発明の実施の形態を説明する。第１図に示す第１の実施の形態に係る車両用空調装置の制御システム１は、Ａ／Ｃアンプ２、バッテリ３、ブラシレスモータ４、複数のアクチュエータ５ａ，５ｂ，‥，５ｎを含んで構成される。
Ａ／Ｃアンプ２は、ＣＰＵ、ＲＯＭ、ＲＡＭ等を含んで構成され、空調装置を制御する制御信号を作成し出力するものであり、ＭＡＳＴＥＲ１０及びＬＩＮｄｒｉｖｅｒ１１をソフトウェア、電気回路等の形で有している。ＭＡＳＴＥＲ１０は、各種検知信号、利用者による操作機器からの入力信号、ブラシレスモータ４及び各アクチュエータ５ａ，５ｂ，‥，５ｎからのフィードバック信号等に基づいて、所定のプログラムに従いブラシレスモータ４、各アクチュエータ５ａ，５ｂ，‥，５ｎの駆動状態を決定する制御信号を算出する。ＬＩＮｄｒｉｖｅｒ１１は、Ａ／Ｃアンプ２、ブラシレスモータ４、及び各アクチュエータ５ａ，５ｂ，‥，５ｎとの間で、ＬＩＮ−ｂｕｓ規格のシリアル通信を可能にする通信手段の一部を構成するものである。このＬＩＮｄｒｉｖｅｒ１１は、前記ＭＡＳＴＥＲ１０により算出された制御信号をシリアル信号化してブラシレスモータ４及び各アクチュエータ５ａ，５ｂ，‥，５ｎに出力すると共に、ブラシレスモータ４及び各アクチュエータ５ａ，５ｂ，‥，５ｎからのシリアル信号化されたフィードバック信号を入力し所定の信号に変換しＭＡＳＴＥＲ１０に出力する。Ａ／Ｃアンプ２と、ブラシレスモータ４及び各アクチュエータ５ａ，５ｂ，‥，５ｎとは、互いにシリアル信号の送受信が可能な通信用ハーネスＩにより接続されている。
前記ブラシレスモータ４は、空調装置のブロワユニットの一部を構成し、空調装置のユニット内に空気を送り込むブロワファンを回転させるものであり、車載のバッテリ３の電力により駆動されると共に、前記Ａ／Ｃアンプ２からの制御信号により制御される。
そして、この実施の形態に係るブラシレスモータ４は、第１図及び第２図に示すように、駆動回路１６、制御回路１７、電力ゲートウェイ１８、電磁駆動部１９を備えて構成される。電磁駆動部１９は、ブロワファンと連結しており、電磁コイル、磁石、回転軸等を含んで構成され駆動回路１６から入力される電流により回転する。駆動回路１６、制御回路１７、及び電力ゲートウェイ１８は、ブラシレスモータ４の制御基板１５上に、ＩＣ、コンデンサ、抵抗器、マイコン等を組み合わせた形でそれぞれ構成されている。
前記制御回路１７は、第２図に示すように、Ａ／Ｃアンプ２との間で制御信号及びフィードバック信号のＬＩＮ−ｂｕｓ規格のシリアル通信を可能にするＬＩＮｄｒｉｖｅｒ２０が、ソフトウェアや電気回路の形で設けられていると共に、ＬＩＮｄｒｉｖｅｒ２０との間でデータ互換を行いＡ／Ｃアンプ２が出力する制御信号に基づいて前記駆動回路１６を操作する信号、電力ゲートウェイ１８を起動させる信号等を出力するＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）２１、ＡＳＩＣ２１との間でデータ互換を行い各種演算処理を行うマイコン２２を含んで構成される。前記駆動回路１６は、バッテリ３から電流が入力され、前記制御回路１７のＡＳＩＣ２１からの信号を受信しこの信号に基づいて電磁駆動部１９への電流供給量を変化させる。
前記電力ゲートウェイ１８は、バッテリ３から電流が入力され、この電流に所定の処理を施した後、各アクチュエータ５ａ，５ｂ，‥，５ｎ、Ａ／Ｃアンプ２、ブラシレスモータ４の制御回路２０に電流を出力する。この電力ゲートウェイ１８は、第３図に示すように、入力手段２５、調整手段２６、出力手段２７、保護回路２８、起動手段２９を備えて構成される。
前記入力手段２５は、バッテリ３と接続し電流を伝導する電源用ハーネスの接続部（入力ポート）、抵抗器やコンデンサ等を含んで構成される電気回路等を有するものであり、バッテリ３からの電流を電力ゲートウェイ１８内部に導く。前記調整手段２６は、所定の電気回路で構成され、前記入力手段２５により入力された電流の電圧を所定値、例えば１２Ｖに調整するものである。
前記出力手段２７は、所定の電気回路、電流を出力するための電源用ハーネスの接続部（出力ポート）等を備えて構成され、前記調整手段２６により一定の電圧に調整された電流を、電源用ハーネスを通じて各アクチュエータ５ａ，５ｂ，‥，５ｎ、Ａ／Ｃアンプ２、ブラシレスモータ４の制御回路２０に出力する。尚、第１図に示すように、この出力手段２７の出力ポートのうち、各アクチュエータ５ａ，５ｂ，‥，５ｎへ電流を伝達する電源用ハーネスＨが接続される出力ポートＰは、１つとなっており、この電源ハーネスＨは途中で分岐して各アクチュエータ５ａ，５ｂ，‥，５ｎへ接続されている。
前記保護回路２８（第３図参照）は、所定の電気回路により構成され、電力ゲートウェイ１８に入力又は電力ゲートウェイ１８から出力される電流の安定化を図るものであり、前記入力手段２５に入力される電流、前記出力手段２７から出力される電流に対して、電圧及び電流が適正範囲内にあるかをチェック及び調整したり、出力電流のノイズを除去したりするものである。
前記起動手段は、所定の電気回路やマイコン、前記Ａ／Ｃアンプ２のＭＡＳＴＥＲ１０と接続する通信手段等を含んで構成され、ＭＡＳＴＥＲ１０が出力する起動命令信号を受信すると、電力ゲートウェイ１８を起動させる働きを有するものであり、ＭＡＳＴＥＲ１０とは起動専用通信線Ｊにより接続している。
前記各アクチュエータ５ａ，５ｂ，‥，５ｎは、第１図に示すように、バッテリ３の電力により駆動されると共に、前記Ａ／Ｃアンプ２からの制御信号により制御され、空調ユニット内に設けられる公知のインテークドア、エアミックスドア、吹出モード切替ドアとそれぞれ連結し、これらのドアを変位させるものである。各アクチュエータ５ａ，５ｂ，‥，５ｎは、それぞれが各自に応じた駆動回路２５ａ，２５ｂ，‥，２５ｎ、制御回路２６，２６ｂ，‥，２６ｎ、電磁駆動部２８ａ，２８ｂ，‥，２８ｎを有しており、それぞれの制御回路２６ａ，２６ｂ，‥，２６ｎには、Ａ／Ｃアンプ２との間で制御信号及びフィードバック信号のＬＩＮ−ｂｕｓ規格のシリアル通信を可能にするＬＩＮｄｒｉｖｅｒ２７ａ，２７ｂ，‥，２７ｎが、ソフトウェアや電気回路の形で設けられている。
上記構成の車両用空調装置の制御システム１によれば、ブラシレスモータ４の制御基板１５上に電力ゲートウェイ１８が設けられ、この電力ゲートウェイ１８から、インテークドア、エアミックスドア、吹出モード切替ドアを駆動する各アクチュエータ５ａ，５ｂ，‥，５ｎへ電流が供給される。これにより、従来はアクチュエータ毎に対応してＡ／Ｃアンプ内に設けられていた保護回路等を含む電源用回路が、電力ゲートウェイとして統一化されるので、ハーネスの本数及び長さの削減、保護回路の共通化等により、コストの削減、回路の単純化等を図ることができる。また、前記電力ゲートウェイ１８がブラシレスモータ４の制御基板１５上に設けられていることにより、ブロワユニット内に発生する送風を電力ゲートウェイ１８の冷却に利用しやすい利点がある。
また、Ａ／Ｃアンプ２、ブラシレスモータ４、各アクチュエータ５ａ，５ｂ，‥，５ｎは、それぞれにＬＩＮ−ｂｕｓ規格に基づいたシリアル通信を可能にするＬＩＮｄｒｉｖｅｒを有することにより、制御信号、フィードバック信号等の通信を基本的に通信用ハーネス１本で行うことができるため、コストの削減を図ることができる。
また、設計及び機能上有利であることから、Ａ／Ｃアンプ２及びブラシレスモータ４の制御回路１７にも電力ゲートウェイ１８から電流が供給され、またブラシレスモータ４の駆動回路１６にはバッテリ３から直接電流が供給される構成となっている。また、機能性の向上等の理由から、Ａ／Ｃアンプ２のＭＡＳＴＥＲ１０と電力ゲートウェイ１８とが、起動専用通信線Ｊにより接続され、ＭＡＳＴＥＲ１０の出力する起動命令信号により電力ゲートウェイ１８を起動させることができるようになされている。
以下に、この発明の第２の実施の形態を図面により説明するが、上記第１の実施の形態と同一又は同様の作用効果を奏する個所には同一の符号を付してその説明を省略する。
第４図に示す第２の実施の形態に係る車両用空調装置の制御システム５０は、電力ゲートウェイ１８と各アクチュエータ５ａ，５ｂ，‥，５ｎとを接続する電源用ハーネスＨ、及びＡ／Ｃアンプ２と各アクチュエータ５ａ，５ｂ，‥，５ｎとを接続する通信用ハーネスＩが、それぞれ１本化されていることが特徴となっている。
第５図において、第１のアクチュエータ５ａと電源用ハーネスＨ１，Ｈ２とを接続させるコネクタ６０が示されている。前記一方の電源用ハーネスＨ１は、電力ゲートウェイ１８と第１のアクチュエータ５ａとを接続するものであり、他方の電源用ハーネスＨ２は、第１のアクチュエータ５ａと第２のアクチュエータとを接続するものである。このコネクタ６０は、樹脂等により形成され第１のアクチュエータ５ａの駆動回路２５ａ近傍に設けられた所定の接続部と連結する連結部６１、金属等の電導性を有する材料により形成され前記連結部６１内部を貫通し前記駆動回路２５ａ内の電気回路と通電するかしめ部６２を有して構成されている。
上記構成のコネクタ６０により、２本の電源用ハーネスＨ１，Ｈ２は、かしめ部６２に形成された差し込み部６３に指し込まれると共に、爪部６４を内側に潰すことにより、共にかしめ止めされている。これにより、２本の電源用ハーネスＨ１，Ｈ２を１本化することができる。更に、第２のアクチュエータ５ｂにおいても、上記と同様の構成のコネクタが使用され、第１のアクチュエータ５ａと第２のアクチュエータ５ｂとを接続する電源用ハーネスＨ２と、第２のアクチュエータ５ｂと第３のアクチュエータ（図示せず）とを連結させる電源用ハーネスＨ３とが、共にかしめ止めされることにより１本化されている。以下、最後のアクチュエータ５ｎに至るまで同様の構成となっており、電力ゲートウェイと各アクチュエータ５ａ，５ｂ，‥，５ｎとを接続する電源用ハーネスＨ全体が１本化されている。
更に、通信用ハーネスＩにおいても、上記コネクタ６０と同様の構造を有するコネクタを第１のアクチュエータ５ａに使用することにより、２本の通信用ハーネスＩ１，Ｉ２を１本化することができ、また第２のアクチュエータ５ｂ以降の通信用ハーネスＩにおいても同様にすることにより、Ａ／Ｃアンプ２と各アクチュエータ５ａ，５ｂ，‥，５ｎとを接続する通信用ハーネスＩ全体が１本化されている。これにより、ハーネスの本数及び長さをより削減することができるので、コストの削減を更に図ることができる。
産業上の利用可能性
以上のように、この発明によれば、ブロワ（ブラシレス）モータの制御基板上に電力ゲートウェイを設け、この電力ゲートウェイから、各コンポーネント（アクチュエータ）へ電源電流を供給するようにしたので、従来はアクチュエータ毎に対応してＡ／Ｃアンプ内に設けられていた保護回路等を含む電源用回路が、電力ゲートウェイとして統一化できるので、ハーネスの本数及び長さの削減、保護回路の共通化等により、コストの削減、回路の単純化等を図ることができる。また、電力ゲートウェイをブロワモータの制御基板上に設けたことにより、ブロワユニット内に発生する送風を電力ゲートウェイの冷却に利用しやすいという利点が生じる。
また、Ａ／Ｃアンプと、ブロワモータ及び各コンポーネントとの間の制御信号、フィードバック信号等の通信は、ＬＩＮ−ｂｕｓ規格に基づいたシリアル通信により行うようにしたので、通信用ハーネスを削減することができ、コストの削減を図ることができる。
【図面の簡単な説明】
第１図は、この発明の第１の実施の形態に係る車両用空調装置の制御システムを示す図であり、第２図は、第１の実施の形態に係るブラシレスモータの制御基板上の構成を示す図であり、第３図は、第１の実施の形態に係る電力ゲートウェイの構成を示す図であり、第４図は、この発明の第２の実施の形態に係る車両用空調装置の制御システムを示す図であり、第５図は、第２の実施の形態に係る電源用ハーネスのコネクタの構造を示す図であり、第６図は、従来の車両用空調装置の制御システムを示す図であり、第７図は、従来におけるブロワモータの制御基板上の構成を示す図である。
【図１】
2003070498.tif 000003
【図２】
2003070498.tif 000004
【図３】
2003070498.tif 000005
【図４】
2003070498.tif 000006
【図５】
2003070498.tif 000007
【図６】
2003070498.tif 000008
【図７】
2003070498.tif 000009
【手続補正書】
【提出日】平成15年5月27日(2003.5.27)
【手続補正１】
【補正対象書類名】明細書
【補正対象項目名】特許請求の範囲
【補正方法】変更
【補正の内容】
【特許請求の範囲】
【請求項１】
削除
【請求項２】
（補正後）空調装置を制御する制御信号を出力するＡ／Ｃアンプ、車載のバッテリの電力により駆動され前記制御信号により制御されるブロワモータ、前記バッテリの電力により駆動され前記制御信号により制御される複数のコンポーネントを有して構成される車両用空調装置の制御システムにおいて、
前記ブロワモータの制御基板上に、前記バッテリからの電流が入力される入力手段と、前記入力手段に入力された電流を所定の電圧値に調整する調整手段と、前記調整手段により調整された電流を出力する出力手段と、入出力される電流に対して電気的な保護作用を施す保護回路とを有して構成される電力ゲートウェイが設けられ、
前記出力手段から出力された電流を前記各コンポーネントに供給し、
前記Ａ／Ｃアンプ、前記ブロワモータ、及び前記各コンポーネントは、少なくとも前記制御信号、前記ブロワモータからのフィードバック信号、及び前記各コンポーネントからのフィードバック信号の通信が可能な通信手段を備え、該通信手段は、シリアル通信を行うものであることを特徴とする車両用空調装置の制御システム。
【請求項３】
前記通信手段は、ＬＩＮ−ｂｕｓ規格に基づいた通信を行うものであることを特徴とする請求項２記載の車両用空調装置の制御システム。
【請求項４】
前記各コンポーネントは、電流が印加されることにより駆動する電磁駆動部と、前記電力ゲートウェイから供給された電流を調整することにより前記電磁駆動部への電流供給量を変化させる駆動回路と、前記通信手段により受信した制御信号に基づいて前記電流供給量を決定する信号を前記駆動回路に出力する制御回路とを備えることを特徴とする請求項２又は３に記載の車両用空調装置の制御システム。
【請求項５】
前記ブロワモータは、電流が印加されることにより駆動する電磁駆動部と、前記バッテリから供給された電流を調整することにより前記電磁駆動部への電流供給量を変化させる駆動回路と、前記通信手段により受信した制御信号に基づいて前記電流供給量を決定する信号を前記駆動回路に出力する制御回路とを備えることを特徴とする請求項２〜４のいずれか１つに記載の車両用空調装置の制御システム。
【請求項６】
前記ブロワモータの制御回路には、前記電力ゲートウェイの出力手段から出力された電流が供給されることを特徴とする請求項５記載の車両用空調装置の制御システム。
【請求項７】
（補正後）前記Ａ／Ｃアンプには、前記電力ゲートウェイの出力手段から出力された電流が供給されることを特徴とする請求項２〜６のいずれか１つに記載の車両用空調装置の制御システム。
【請求項８】
前記Ａ／Ｃアンプが出力する起動命令信号により前記電力ゲートウェイを起動させる起動手段を備えることを特徴とする請求項７に記載の車両用空調装置の制御システム。
【請求項９】
（補正後）前記電力ゲートウェイの出力手段の前記コンポーネントへの出力ポートが１つであることを特徴とする請求項２〜８のいずれか１つに記載の車両用空調装置の制御システム。
【請求項１０】
前記出力ポートと接続する電源用ハーネスが接続される前記コンポーネントの電源接続部では、２本の前記電源用ハーネスが共かしめられていることを特徴とする請求項９記載の車両用空調装置の制御システム。
【請求項１１】
前記Ａ／Ｃアンプの通信手段と接続する通信用ハーネスが接続される前記コンポーネントの通信接続部では、２本の前記通信用ハーネスが共かしめされていることを特徴とする請求項２又は３記載の車両用空調装置の制御システム。
【請求項１２】
（補正後）前記ブロワモータは、ブラシレスモータであることを特徴とする請求項２〜１１のいずれか１つに記載の車両用空調装置の制御システム。
【国際調査報告】
2003070498.tif 000010
2003070498.tif 000011